(57)【要約】【課題】  任意の領域に関する情報を提供する情報提供システムにおいて、動的な情報を提供できるようにする。【解決手段】  情報処理装置１００は、領域名と領域を示す領域定義データとを対応させたＣＩＳテーブル１９１と、実体の位置を示す実体位置データと実体の属性を示す実体属性データとを対応させた実体情報テーブル１９２とを記憶部１９０に記憶する。そして、入力部１１０は、ユーザが情報を要求する領域の領域名を入力する。領域データ取得部１１５は、入力部１１０が入力した領域名に対応する領域定義データをＣＩＳテーブル１９１から取得する。実体データ検索部１２０は、領域データ取得部１１５が取得した領域定義データで実体情報テーブル１９２の実体位置データを検索し、ユーザが指定した領域に位置する実体を判定し実体属性データを取得する。出力部１２５は、実体データ検索部１２０が取得した実体属性データをユーザに出力する。【選択図】        図４
2006072922.tif 000002
【特許請求の範囲】
【請求項１】
領域名と領域を定義する領域定義データとを対応させて記憶する領域記憶部と、
実体の位置を示す実体位置データと実体の属性を示す実体属性データとを対応させて記憶する実体記憶部と、
領域の領域名を入力する入力部と、
入力部が入力した領域名の示す領域の領域定義データを領域記憶部から取得する領域データ取得部と、
領域データ取得部が取得した領域定義データに基づいて実体記憶部の実体位置データを検索し、検索結果に基づいて実体の実体属性データを実体記憶部から取得する実体データ検索部とを備えたことを特徴とする情報処理装置。
【請求項２】
上記情報処理装置は、さらに、
上記実体データ検索部が取得した実体属性データに基づいて結果データを生成し、生成した結果データを出力する出力部
を備えたことを特徴とする請求項１記載の情報処理装置。
【請求項３】
上記実体データ検索部は、
上記領域データ取得部が取得した領域定義データに基づいて実体記憶部の実体位置データを検索し、領域データ取得部の取得した領域定義データの示す領域内に位置する実体の実体属性データを検索結果に基づいて実体記憶部から取得する
ことを特徴とする請求項１または請求項２記載の情報処理装置。
【請求項４】
上記情報処理装置は、さらに、
実体属性データを変更する変更処理内容を示す属性変更処理データを領域名に対応して記憶する属性変更記憶部と、
属性変更処理データに対応した領域名の示す領域の領域定義データを上記領域記憶部から取得し、取得した領域定義データに基づいて上記実体記憶部の実体位置データを検索し、取得した領域定義データの示す領域内に位置する実体の実体属性データを検索結果に基づいて取得し、取得した実体属性データに関する実体の位置する領域の領域名に対応した属性変更処理データに基づいて、取得した実体属性データを変更する属性変更処理部を備えた
ことを特徴とする請求項１〜請求項３いずれかに記載の情報処理装置。
【請求項５】
上記情報処理装置は、さらに、
領域記憶部に記憶された領域定義データの示す領域が重複する場合、重複する領域の属性変更処理データに基づいて、取得した実体属性データの属性を変更する処理方法を示す属性変更処理方法データを記憶する属性変更方法記憶部を備え、
上記属性変更処理部は、
属性変更処理データに対応した領域名の示す領域の領域定義データを上記領域記憶部から取得し、取得した領域定義データの示す領域が重複する場合、重複する領域の領域定義データに基づいて上記実体記憶部の実体位置データを検索し、重複する領域の領域定義データの示す領域内に位置する実体の実体属性データを取得し、重複する領域分の属性変更処理データと上記属性変更方法記憶部に記憶された属性変更処理方法データとに基づいて、取得した実体属性データを変更する
ことを特徴とする請求項４記載の情報処理装置。
【請求項６】
上記情報処理装置は、さらに、
上記領域記憶部と上記実体記憶部との少なくともいずれかに記憶されたデータに対するアクセス権限を示すアクセス権限データと、アクセス権限を与える位置を示し上記領域記憶部に記憶された領域定義データの示す領域との相対位置を示す権限位置データとを対応させて記憶する権限記憶部を備え、
上記入力部は、
自己位置を取得する測位装置と通信し測位装置から上記領域記憶部と上記実体記憶部との少なくともいずれかに記憶されたデータに対するアクセス要求を示すアクセス要求データと測位装置の位置を示す測位装置位置データとを受信し入力とし、
上記情報処理装置は、さらに、
上記入力部が入力した測位装置位置データの示す位置における権限位置データを上記権限記憶部から取得し、取得した権限位置データに対応したアクセス権限データを上記権限記憶部から取得し、取得したアクセス権限データと上記入力部の入力したアクセス要求データとに基づいてデータを処理する記憶データ管理部を備えた
ことを特徴とする請求項１〜請求項５いずれかに記載の情報処理装置。
【請求項７】
上記情報処理装置は、さらに、
上記領域記憶部に記憶された領域定義データの示す領域が重複する場合、重複する領域の権限位置データ毎に対応したアクセス権限データに基づいてアクセス権限を決定する決定方法を示すアクセス権限決定方法データを記憶する権限決定方法記憶部を備え、
上記記憶データ管理部は、
上記入力部が入力した測位装置位置データの示す位置の権限位置データを上記権限記憶部から取得し、取得した権限位置データが相対位置を示す領域が重複する場合、重複する領域分の権限位置データ毎に対応したアクセス権限データを上記権限記憶部から取得し、重複する領域の権限位置データ毎に対応したアクセス権限データと上記権限決定方法記憶部に記憶されたアクセス権限決定方法とに基づいてアクセス権限を決定し、決定したアクセス権限と上記入力部の入力したアクセス要求データとに基づいてデータを処理する
ことを特徴とする請求項６記載の情報処理装置。
【請求項８】
上記情報処理装置は、さらに、
上記領域記憶部に記憶された領域名に対応する領域定義データの変更条件を示す領域変更条件データを記憶する領域変更記憶部を備え、
上記領域データ取得部は、
上記入力部が入力した領域名の示す領域の領域定義データを上記領域変更記憶部に記憶された領域変更条件データに基づいて上記領域記憶部から取得する
ことを特徴とする請求項１〜請求項７いずれかに記載の情報処理装置。
【請求項９】
上記領域変更記憶部は、
時間を領域定義データの変更条件とする領域変更条件データを記憶し、
上記領域データ取得部は、
時刻データを取得し、取得した時刻データと上記領域変更記憶部に記憶された領域変更条件データとに基づいて上記入力部の入力した領域名の示す領域の領域定義データを上記領域記憶部から取得する
ことを特徴とする請求項８記載の情報処理装置。
【請求項１０】
上記入力部は、
センサと通信しセンサからセンサの計測したセンサ値を受信し入力とし、
上記領域変更記憶部は、
センサ値を領域定義データの変更条件とする領域変更条件データを記憶し、
上記領域データ取得部は、
上記入力部が入力したセンサ値と上記領域変更記憶部に記憶された領域変更条件データとに基づいて上記入力部の入力した領域名の示す領域の領域定義データを上記領域記憶部から取得する
ことを特徴とする請求項８または請求項９記載の情報処理装置。
【請求項１１】
上記入力部は、
移動して移動先の自己位置を取得する測位装置と通信し測位装置から測位装置の位置を示す実体位置データを受信し入力とし、
上記実体記憶部は、
移動する測位装置の位置を示す実体位置データを記憶し、
上記情報処理装置は、さらに、
上記入力部の入力した実体位置データで、上記実体記憶部に記憶された対応する測位装置の実体位置データを更新する実体位置データ更新部を備えた
ことを特徴とする請求項１〜請求項１０いずれかに記載の情報処理装置。
【請求項１２】
上記入力部は、
移動して移動先の自己領域を取得する測位装置と通信し測位装置から測位装置の領域を示す領域名と領域定義データとを受信し入力とし、
上記領域記憶部は、
移動する測位装置の領域を定義する領域定義データを記憶し、
上記情報処理装置は、さらに、
上記入力部が入力した領域定義データで、上記領域記憶部に記憶された領域定義データであり上記入力部の入力した領域名に対応した領域定義データを更新する領域データ更新部を備えた
ことを特徴とする請求項１〜請求項１１いずれかに記載の情報処理装置。
【請求項１３】
上記領域記憶部は、
３次元で定義される領域定義データを記憶する
ことを特徴とする請求項１〜請求項１２いずれかに記載の情報処理装置。
【請求項１４】
上記実体記憶部は、
３次元で定義される実体位置データを記憶する
ことを特徴とする請求項１〜請求項１３いずれかに記載の情報処理装置。
【請求項１５】
領域を定義する領域定義データを記憶する領域記憶部と、
実体の位置を示す実体位置データと実体の属性を示す実体属性データとを対応させて記憶する実体記憶部と、
移動して移動先の自己位置を取得する測位装置と通信し測位装置から測位装置の位置を示す測位装置位置データを受信し入力とする入力部と、
入力部が入力した測位装置位置データに基づいて領域記憶部の領域定義データを検索し、検索した領域定義データを取得する領域データ取得部と、
領域データ取得部が取得した領域定義データに基づいて実体記憶部の実体位置データを検索し、検索結果に基づいて実体の実体属性データを実体記憶部から取得する実体データ検索部と
を備えたことを特徴とする情報処理装置。
【請求項１６】
上記領域記憶部は、他領域との相対関係を領域定義データとして記憶する
ことを特徴とする請求項１〜請求項１５いずれかに記載の情報処理装置。
【請求項１７】
領域名と領域の属性を示す領域属性データとを対応させて記憶する領域記憶部と、
領域の領域名を入力する入力部と、
入力部が入力した領域名の示す領域の領域属性データを領域記憶部から取得する領域データ取得部と
を備えたことを特徴とする情報処理装置。
【請求項１８】
処理対象データを記憶する処理データ記憶部と、
処理対象データに対するアクセス権限を示すアクセス権限データとアクセス権限を与える位置を示す権限位置データとを対応させて記憶する権限記憶部と、
自己位置を取得する測位装置と通信し測位装置から処理対象データに対するアクセス要求を示すアクセス要求データと測位装置の位置を示す測位装置位置データとを受信し入力とする入力部と、
入力部が入力した測位装置位置データの示す位置の権限位置データを権限記憶部から取得し、取得した権限位置データに対応したアクセス権限データを権限記憶部から取得し、取得したアクセス権限データと入力部の入力したアクセス要求データとに基づいて処理データ記憶部に記憶された処理対象データを処理する記憶データ管理部と
を備えたことを特徴とする情報処理装置。
【請求項１９】
領域名と領域を定義する領域定義データとを対応させて記憶する領域記憶部と、
領域の領域名を入力する入力部と、
入力部が入力した領域名の示す領域の領域定義データを領域記憶部から取得する領域データ取得部と、
領域データ取得部が取得した領域定義データに基づいて領域名に対応付けられるデータを取得するデータ検索部と
を備えたことを特徴とする情報処理装置。
【請求項２０】
上記領域記憶部は、領域定義データとして２次元以上の領域を定義するデータを記憶することを特徴とする請求項１９記載の情報処理装置。
【請求項２１】
上記データ検索部は、領域定義データで定義された領域をキーにして領域名に対応付けられるデータを検索することを特徴とする請求項１９または請求項２０記載の情報処理装置。
【請求項２２】
領域名と領域を定義する領域定義データとを対応させて記憶する領域記憶工程と、
実体の位置を示す実体位置データと実体の属性を示す実体属性データとを記憶する実体記憶工程と、
領域の領域名を入力する入力工程と、
入力工程で入力した領域名の示す領域の領域定義データであり領域記憶工程で記憶された領域定義データを取得する領域データ取得工程と、
領域データ取得工程で取得した領域定義データに基づいて実体記憶工程で記憶された実体位置データを検索し、検索結果に基づいて実体の実体属性データであり実体記憶工程で記憶された実体属性データを取得する実体データ検索工程と
を実行することを特徴とする情報処理装置の情報処理方法。
【請求項２３】
領域を定義する領域定義データを記憶する領域記憶工程と、
実体の位置を示す実体位置データと実体の属性を示す実体属性データとを対応させて記憶する実体記憶工程と、
移動して移動先の自己位置を取得する測位装置と通信し測位装置から測位装置の位置を示す測位装置位置データを受信し入力とする入力工程と、
入力工程で入力した測位装置位置データに基づいて領域記憶工程で記憶された領域定義データを検索し、検索した領域定義データを取得する領域データ取得工程と、
領域データ取得工程で取得した領域定義データに基づいて実体記憶工程で記憶された実体位置データを検索し、検索結果に基づいて実体の実体属性データを取得する実体データ検索工程と
を備えたことを特徴とする情報処理装置の情報処理方法。
【請求項２４】
領域名と領域の属性を示す領域属性データとを対応させて領域記憶部に記憶する領域記憶工程と、
領域の領域名を入力する入力工程と、
入力工程で入力した領域名の示す領域の領域属性データを領域記憶部から取得する領域データ取得工程と
を実行することを特徴とする情報処理装置の情報処理方法。
【請求項２５】
処理対象データを記憶する処理データ記憶工程と、
処理対象データに対するアクセス権限を示すアクセス権限データとアクセス権限を与える位置を示す権限位置データとを対応させて記憶する権限記憶工程と、
自己位置を取得する測位装置と通信し測位装置から処理対象データに対するアクセス要求を示すアクセス要求データと測位装置の位置を示す測位装置位置データとを受信し入力とする入力工程と、
入力工程で入力した測位装置位置データの示す位置の権限位置データであり権限記憶工程で記憶された権限位置データを取得し、取得した権限位置データに対応したアクセス権限データであり権限記憶工程で記憶されたアクセス権限データを取得し、処理データ記憶工程で記憶された処理対象データを取得したアクセス権限データと入力工程で入力したアクセス要求データとに基づいて処理する記憶データ管理工程と
を実行することを特徴とする情報処理装置の情報処理方法。
【請求項２６】
領域名と領域を定義する領域定義データとを対応させて領域記憶部に記憶する領域記憶工程と、
領域の領域名を入力する入力工程と、
入力工程で入力した領域名の示す領域の領域定義データを領域記憶部から取得する領域データ取得工程と、
領域データ取得工程で取得した領域定義データに基づいて領域名に対応付けられるデータを取得するデータ検索工程と
を実行することを特徴とする情報処理装置の情報処理方法。
【請求項２７】
請求項２２〜請求項２６いずれかに記載の情報処理方法をコンピュータに実行させるプログラム。
【請求項２８】
領域の領域名と領域を定義する領域定義情報とを対応つけることを特徴とするデータ。
【請求項２９】
異なる領域名のそれぞれに対して同一の領域定義情報を対応つけることを特徴とする請求項２８記載のデータ。
【請求項３０】
領域名と領域の持つ属性である領域属性情報とを対応つけることを特徴とする請求項２８または請求項２９記載のデータ。
【請求項３１】
他領域との相対関係を領域定義情報とすることを特徴とする請求項２８〜請求項３０いずれかに記載のデータ。
【発明の詳細な説明】
【技術分野】
【０００１】
本発明は、情報処理システムにおける情報処理装置、情報処理方法、プログラムおよびデータに関するものである。
【背景技術】
【０００２】
従来の情報提供システムは、予め定義、登録された領域の情報に、定められた地点からアクセスするものであった。一般的には、カーナビゲーションシステムにおいて車の進行方向にある領域の情報が、その領域に一定の距離に近づいた車からアクセスできるというものであった。
領域情報を提供する従来技術には特許文献１〜３がある。
【特許文献１】特開２００３−２８８５２５号公報
【特許文献２】特開２００３−１２２６５５号公報
【特許文献３】特開２００１−０５０７７２号公報
【発明の開示】
【発明が解決しようとする課題】
【０００３】
従来技術では、個々の領域は大きな領域を一定の方法で細分化したものであり、その各々は名前などにより識別されることは無い。
また、ユーザに提供する領域情報を動的に変化させることができない。
また、ユーザと領域との位置関係により、ユーザの領域情報に対するアクセスを管理することができない。
【０００４】
本発明は、上記の課題を踏まえて、例えば、ユーザから指定された領域の領域情報であり刻々と変化する領域情報をユーザに提供できるようにすることを目的とする。
また、ユーザと領域との位置関係により、ユーザの領域情報に対するアクセスを管理できるようにすることを目的とする。
【課題を解決するための手段】
【０００５】
本発明の情報処理装置は、領域名と領域を定義する領域定義データとを対応させて記憶する領域記憶部と、実体の位置を示す実体位置データと実体の属性を示す実体属性データとを対応させて記憶する実体記憶部と、領域の領域名を入力する入力部と、入力部が入力した領域名の示す領域の領域定義データを領域記憶部から取得する領域データ取得部と、領域データ取得部が取得した領域定義データに基づいて実体記憶部の実体位置データを検索し、検索結果に基づいて実体の実体属性データを実体記憶部から取得する実体データ検索部とを備えたことを特徴とする。
【０００６】
さらに、上記実体データ検索部が取得した実体属性データに基づいて結果データを生成し、生成した結果データを出力する出力部を備えたことを特徴とする。
【０００７】
上記実体データ検索部は、上記領域データ取得部が取得した領域定義データに基づいて記憶部の実体位置データを検索し、領域データ取得部の取得した領域定義データの示す領域内に位置する実体の実体属性データを検索結果に基づいて実体記憶部から取得することを特徴とする。
【０００８】
上記情報処理装置は、さらに、実体属性データを変更する変更処理内容を示す属性変更処理データを領域名に対応して記憶する属性変更記憶部と、属性変更処理データに対応した領域名の示す領域の領域定義データを上記領域記憶部から取得し、取得した領域定義データに基づいて上記実体記憶部の実体位置データを検索し、取得した領域定義データの示す領域内に位置する実体の実体属性データを検索結果に基づいて取得し、取得した実体属性データに関する実体の位置する領域の領域名に対応した属性変更処理データに基づいて、取得した実体属性データを変更する属性変更処理部を備えたことを特徴とする。
【０００９】
上記情報処理装置は、さらに、領域記憶部に記憶された領域定義データの示す領域が重複する場合、重複する領域の属性変更処理データに基づいて、取得した実体属性データの属性を変更する処理方法を示す属性変更処理方法データを記憶する属性変更方法記憶部を備え、上記属性変更処理部は、属性変更処理データに対応した領域名の示す領域の領域定義データを上記領域記憶部から取得し、取得した領域定義データの示す領域が重複する場合、重複する領域の領域定義データに基づいて上記実体記憶部の実体位置データを検索し、重複する領域の領域定義データの示す領域内に位置する実体の実体属性データを取得し、重複する領域分の属性変更処理データと上記属性変更方法記憶部に記憶された属性変更処理方法データとに基づいて、取得した実体属性データを変更することを特徴とする。
【００１０】
上記情報処理装置は、さらに、上記領域記憶部と上記実体記憶部との少なくともいずれかに記憶されたデータに対するアクセス権限を示すアクセス権限データと、アクセス権限を与える位置を示し上記領域記憶部に記憶された領域定義データの示す領域との相対位置を示す権限位置データとを対応させて記憶する権限記憶部を備え、上記入力部は、自己位置を取得する測位装置と通信し測位装置から上記領域記憶部と上記実体記憶部との少なくともいずれかに記憶されたデータに対するアクセス要求を示すアクセス要求データと測位装置の位置を示す測位装置位置データとを受信し入力とし、上記情報処理装置は、さらに、上記入力部が入力した測位装置位置データの示す位置における権限位置データを上記権限記憶部から取得し、取得した権限位置データに対応したアクセス権限データを上記権限記憶部から取得し、取得したアクセス権限データと上記入力部の入力したアクセス要求データとに基づいてデータを処理する記憶データ管理部を備えたことを特徴とする。
【００１１】
上記情報処理装置は、さらに、上記領域記憶部に記憶された領域定義データの示す領域が重複する場合、重複する領域の権限位置データ毎に対応したアクセス権限データに基づいてアクセス権限を決定する決定方法を示すアクセス権限決定方法データを記憶する権限決定方法記憶部を備え、上記記憶データ管理部は、上記入力部が入力した測位装置位置データの示す位置の権限位置データを上記権限記憶部から取得し、取得した権限位置データが相対位置を示す領域が重複する場合、重複する領域分の権限位置データ毎に対応したアクセス権限データを上記権限記憶部から取得し、重複する領域の権限位置データ毎に対応したアクセス権限データと上記権限決定方法記憶部に記憶されたアクセス権限決定方法とに基づいてアクセス権限を決定し、決定したアクセス権限と上記入力部の入力したアクセス要求データとに基づいてデータを処理することを特徴とする。
【００１２】
上記情報処理装置は、さらに、上記領域記憶部に記憶された領域名に対応する領域定義データの変更条件を示す領域変更条件データを記憶する領域変更記憶部を備え、上記領域データ取得部は、上記入力部が入力した領域名の示す領域の領域定義データを上記領域変更記憶部に記憶された領域変更条件データに基づいて上記領域記憶部から取得することを特徴とする。
【００１３】
上記領域変更記憶部は、時間を領域定義データの変更条件とする領域変更条件データを記憶し、上記領域データ取得部は、時刻データを取得し、取得した時刻データと上記領域変更記憶部に記憶された領域変更条件データとに基づいて上記入力部の入力した領域名の示す領域の領域定義データを上記領域記憶部から取得することを特徴とする。
【００１４】
上記入力部は、センサと通信しセンサからセンサの計測したセンサ値を受信し入力とし、上記領域変更記憶部は、センサ値を領域定義データの変更条件とする領域変更条件データを記憶し、上記領域データ取得部は、上記入力部が入力したセンサ値と上記領域変更記憶部に記憶された領域変更条件データとに基づいて上記入力部の入力した領域名の示す領域の領域定義データを上記領域記憶部から取得することを特徴とする。
【００１５】
上記入力部は、移動して移動先の自己位置を取得する測位装置と通信し測位装置から測位装置の位置を示す実体位置データを受信し入力とし、上記実体記憶部は、移動する測位装置の位置を示す実体位置データを記憶し、上記情報処理装置は、さらに、上記入力部の入力した実体位置データで、上記実体記憶部に記憶された対応する測位装置の実体位置データを更新する実体位置データ更新部を備えたことを特徴とする。
【００１６】
上記入力部は、移動して移動先の自己領域を取得する測位装置と通信し測位装置から測位装置の領域を示す領域名と領域定義データとを受信し入力とし、上記領域記憶部は、移動する測位装置の領域を定義する領域定義データを記憶し、上記情報処理装置は、さらに、上記入力部が入力した領域定義データで、上記領域記憶部に記憶された領域定義データであり上記入力部の入力した領域名に対応した領域定義データを更新する領域データ更新部を備えたことを特徴とする。
【００１７】
上記領域記憶部は、３次元で定義される領域定義データを記憶することを特徴とする。
【００１８】
上記実体記憶部は、３次元で定義される実体位置データを記憶することを特徴とする。
【００１９】
本発明の情報処理装置は、領域を定義する領域定義データを記憶する領域記憶部と、実体の位置を示す実体位置データと実体の属性を示す実体属性データとを対応させて記憶する実体記憶部と、移動して移動先の自己位置を取得する測位装置と通信し測位装置から測位装置の位置を示す測位装置位置データを受信し入力とする入力部と、入力部が入力した測位装置位置データに基づいて領域記憶部の領域定義データを検索し、検索した領域定義データを取得する領域データ取得部と、領域データ取得部が取得した領域定義データに基づいて実体記憶部の実体位置データを検索し、検索結果に基づいて実体の実体属性データを実体記憶部から取得する実体データ検索部とを備えたことを特徴とする。
【００２０】
上記記憶部は、他領域との相対関係を領域定義データとして記憶することを特徴とする。
【００２１】
本発明の情報処理装置は、領域名と領域の属性を示す領域属性データとを対応させて記憶する記憶部と、領域の領域名を入力する入力部と、入力部が入力した領域名の示す領域の領域属性データを記憶部から取得する領域データ取得部とを備えたことを特徴とする。
【００２２】
本発明の情報処理装置は、処理対象データを記憶する処理データ記憶部と、処理対象データに対するアクセス権限を示すアクセス権限データとアクセス権限を与える位置を示す権限位置データとを対応させて記憶する権限記憶部と、自己位置を取得する測位装置と通信し測位装置から処理対象データに対するアクセス要求を示すアクセス要求データと測位装置の位置を示す測位装置位置データとを受信し入力とする入力部と、入力部が入力した測位装置位置データの示す位置の権限位置データを権限記憶部から取得し、取得した権限位置データに対応したアクセス権限データを権限記憶部から取得し、取得したアクセス権限データと入力部の入力したアクセス要求データとに基づいて処理データ記憶部に記憶された処理対象データを処理する記憶データ管理部とを備えたことを特徴とする。
【００２３】
本発明の情報処理装置は、領域名と領域を定義する領域定義データとを対応させて記憶する領域記憶部と、領域の領域名を入力する入力部と、入力部が入力した領域名の示す領域の領域定義データを領域記憶部から取得する領域データ取得部と、領域データ取得部が取得した領域定義データに基づいて領域名に対応付けられるデータを取得するデータ検索部とを備えたことを特徴とする。
【００２４】
上記領域記憶部は、領域定義データとして２次元以上の領域を定義するデータを記憶することを特徴とする。
【００２５】
上記データ検索部は、領域定義データで定義された領域をキーにして領域名に対応付けられるデータを検索することを特徴とする。
【００２６】
本発明の情報処理方法は、領域名と領域を定義する領域定義データとを対応させて記憶する領域記憶工程と、実体の位置を示す実体位置データと実体の属性を示す実体属性データとを記憶する実体記憶工程と、領域の領域名を入力する入力工程と、入力工程で入力した領域名の示す領域の領域定義データであり領域記憶工程で記憶された領域定義データを取得する領域データ取得工程と、領域データ取得工程で取得した領域定義データに基づいて実体記憶工程で記憶された実体位置データを検索し、検索結果に基づいて実体の実体属性データであり実体記憶工程で記憶された実体属性データを取得する実体データ検索工程とを実行することを特徴とする。
【００２７】
本発明の情報処理方法は、領域を定義する領域定義データを記憶する領域記憶工程と、実体の位置を示す実体位置データと実体の属性を示す実体属性データとを対応させて記憶する実体記憶工程と、移動して移動先の自己位置を取得する測位装置と通信し測位装置から測位装置の位置を示す測位装置位置データを受信し入力とする入力工程と、入力工程で入力した測位装置位置データに基づいて領域記憶工程で記憶された領域定義データを検索し、検索した領域定義データを取得する領域データ取得工程と、領域データ取得工程で取得した領域定義データに基づいて実体記憶工程で記憶された実体位置データを検索し、検索結果に基づいて実体の実体属性データを取得する実体データ検索工程とを備えたことを特徴とする。
【００２８】
本発明の情報処理方法は、領域名と領域の属性を示す領域属性データとを対応させて記憶部に記憶する記憶工程と、領域の領域名を入力する入力工程と、入力工程で入力した領域名の示す領域の領域属性データを記憶部から取得する領域データ取得工程とを実行することを特徴とする。
【００２９】
本発明の情報処理方法は、処理対象データを記憶する処理データ記憶工程と、処理対象データに対するアクセス権限を示すアクセス権限データとアクセス権限を与える位置を示す権限位置データとを対応させて記憶する権限記憶工程と、自己位置を取得する測位装置と通信し測位装置から処理対象データに対するアクセス要求を示すアクセス要求データと測位装置の位置を示す測位装置位置データとを受信し入力とする入力工程と、入力工程で入力した測位装置位置データの示す位置の権限位置データであり権限記憶工程で記憶された権限位置データを取得し、取得した権限位置データに対応したアクセス権限データであり権限記憶工程で記憶されたアクセス権限データを取得し、処理データ記憶工程で記憶された処理対象データを取得したアクセス権限データと入力工程で入力したアクセス要求データとに基づいて処理する記憶データ管理工程とを実行することを特徴とする。
【００３０】
また、本発明は、上記情報処理方法をコンピュータに実行させるプログラムであることを特徴とする。
【００３１】
本発明のデータは、領域の領域名と領域を定義する領域定義情報とを対応つけることを特徴とする。
【００３２】
上記データは、異なる領域名のそれぞれに対して同一の領域定義情報を対応つけることを特徴とする。
【００３３】
上記データは、領域名と領域の持つ属性である領域属性情報とを対応つけることを特徴とする。
【００３４】
上記データは、他領域との相対関係を領域定義情報とすることを特徴とする。
【発明の効果】
【００３５】
本発明によれば、例えば、ユーザから指定された領域の領域情報であり刻々と変化する領域情報をユーザに提供でき、ユーザの利便性を向上することができる。
また、ユーザと領域との位置関係により、ユーザの領域情報に対するアクセスを管理でき、情報管理機能を高めることができる。
【発明を実施するための最良の形態】
【００３６】
実施の形態１．
図１は、実施の形態１における情報処理システムの構成図である。
図１において、情報処理装置１００は、処理対象データとして領域に関するデータと実体に関するデータとを管理しデータ処理を行う。
ユーザ端末２００は、ＧＰＳ（Ｇｌｏｂａｌ  Ｐｏｓｉｔｉｏｎｉｎｇ  Ｓｙｓｔｅｍ）衛星３００から測位用データを受信し測位を行う測位装置であり、処理対象データへのアクセスを要求するアクセス要求データと測位したユーザ端末の位置データとを情報処理装置１００に送信する。
タクシー２１０は、ＧＰＳ衛星３００から測位用データを受信し測位を行う測位装置であり、測位したタクシーの位置データを情報処理装置１００に送信する。
また、タクシー２１０と自動販売機２２０とは複数存在し、情報処理装置１００にデータ管理される実体である。
また、各タクシー２１０と各自動販売機２２０とは、情報処理装置１００がデータ管理するＣＩＳａ、ＣＩＳｂ、ＣＩＳｃなどの領域名を持つ各領域に位置する。
ここで、ユーザ端末２００が情報処理装置１００に送信するアクセス要求データには、情報処理装置１００の管理する領域の領域名が含まれ、情報処理装置１００は、受信したアクセス要求データに含まれる領域名の示す領域に位置する各実体に関するデータについて処理を行う。
例えば、ユーザ端末２００が領域名ＣＩＳａを指定しアクセス要求データを送信した場合、情報処理装置１００はＣＩＳａ領域に位置するタクシー２１０や自動販売機２２０といった実体の情報をユーザ端末２００に送信する。
ここで、測位用データを送信するのは、ＧＰＳ衛星３００に限らず、静止衛星や準天頂衛星、地上装置でも構わない。
準天頂衛星とは、赤道面から約４５度の傾斜角になるように地球の自転に合わせて１日に１周回している。例えば、昇交点赤経（赤道面との交点）において１２０度ずつ離れるように３機が配置される。地表面上に投影される準天頂衛星軌道の軌跡は、地上を固定して考えた場合に、準天頂衛星は赤道上を交点とする「８の字」または「涙的型」を描くように周回する。準天頂衛星から測位用データを受信することで、ビルの谷間などにおいても電波を遮られることが少ないという効果がある。
【００３７】
図２は、実施の形態１における情報処理装置１００の外観を示す図である。
図２において、情報処理装置１００は、システムユニット９１０、表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。
さらに、情報処理装置１００は、ＦＡＸ機９３２、電話器９３１とケーブルで接続され、また、ローカルエリアネットワーク（ＬＡＮ）９４２、ウェブサーバ９４１を介してインターネット９４０に接続されている。
また、表示装置９０１には、ＣＲＴ（Ｃａｔｈｏｄｅ  Ｒａｙ  Ｔｕｂｅ）や液晶ディスプレイなどの種類がある。
【００３８】
図３は、実施の形態１における情報処理装置１００のハードウェア構成図である。
図３において、情報処理装置１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０、光ディスク装置は、不揮発性メモリの一例である。これらは、記憶装置あるいは記憶部の一例である。
通信ボード９１５は、ＦＡＸ機９３２、電話器９３１、ＬＡＮ９４２等に接続されている。
例えば、通信ボード９１５、Ｋ／Ｂ９０２、スキャナ装置９０７、ＦＤＤ９０４などは、情報入力部の一例である。
また、例えば、通信ボード９１５、表示装置９０１などは、出力部の一例である。
【００３９】
ここで、通信ボード９１５は、ＬＡＮ９４２に限らず、直接、インターネット９４０、或いはＩＳＤＮ等のＷＡＮ（ワイドエリアネットワーク）に接続されていても構わない。直接、インターネット９４０、或いはＩＳＤＮ等のＷＡＮに接続されている場合、情報処理装置１００は、インターネット９４０、或いはＩＳＤＮ等のＷＡＮに接続され、ウェブサーバ９４１は不用となる。また、ＬＡＮ９４２などのネットワークは無線で接続するネットワークでも構わない。
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００４０】
上記プログラム群９２３には、以下に述べる実施の形態の説明において「〜部」として説明する機能を実行するプログラムが記憶されている。プログラムは、ＣＰＵ９１１により読み出され実行される。
ファイル群９２４には、以下に述べる実施の形態の説明において、「〜の判定結果」、「〜の計算結果」、「〜の処理結果」として説明するものが、「〜ファイル」として記憶されている。
また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ  ｃａｒｔｒｉｄｇｅ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００４１】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００４２】
また、以下に述べる実施の形態を実施するプログラムは、磁気ディスク装置９２０、ＦＤ、光ディスク、ＣＤ、ＭＤ、ＤＶＤ等のその他の記録媒体による記録装置を用いて記憶されても構わない。
【００４３】
図４は、実施の形態１における情報処理装置１００の構成図である。
図４において情報処理装置１００は以下のものを備える。
領域名と領域を示す領域定義データとを対応させる仮想情報空間（ＣＩＳ：Ｃｙｂｅｒ  Ｉｎｆｏｒｍａｔｉｏｎ  Ｓｐａｃｅ）テーブル１９１と、タクシー２１０や自動販売機２２０といったデータ管理対象である実体の位置を示す実体位置データと、実体の属性を示す実体属性データとを対応させる実体情報テーブル１９２とを記憶する記憶部１９０。
ユーザ端末２００からのアクセス要求データやタクシー２１０のような測位装置の測位した位置データを受信し入力とする入力部１１０。
入力部１１０が入力した位置データで、記憶部１９０の実体情報テーブル１９２の実体位置データを更新する実体位置データ更新部１３０。
入力部１１０が入力したアクセス要求データに含まれる領域名の示す領域の領域定義データをＣＩＳテーブル１９１から取得する領域データ取得部１１５。
領域データ取得部１１５が取得した領域定義データに基づいて実体情報テーブル１９２の実体位置データを検索し、検索結果に基づいて実体属性データを実体情報テーブル１９２から取得する実体データ検索部１２０。
実体データ検索部１２０が取得した実体属性データに基づいて結果データを生成し、生成した結果データを出力する出力部１２５。
【００４４】
図５は、実施の形態１におけるＣＩＳテーブル１９１を示す図である。
図５において、ＣＩＳテーブル１９１は「領域名」と「領域定義データ」とを対応させる。
「領域定義データ」は、「緯度」、「経度」、「高さ」で示される点の集合により表すことができる。
領域名ＣＩＳａで示される領域を四角形として管理する場合、「領域定義データ」として、「緯度」、「経度」、「高さ」で示される４つの点を定義し、定義した４つの点で囲まれる領域をＣＩＳａとすればよい。「高さ」の値は一つである。
「領域定義データ」は、例えば、四角形以外の多角形で定義してもよいし、「高さ」を持たずに「緯度」と「経度」で定義してもよいし、１つの点と半径とを定義した円形の領域でもよいし、「緯度」と「経度」に異なる値の「高さ」を定義した３次元の領域でもよい。
また、「領域定義データ」を関数式で表してもよい。関数式は可変であってもよく、時刻などをパラメータにしてもよい。
【００４５】
また、領域は重複しても構わない。つまり、異なる「領域名」に対応するそれぞれの「領域定義データ」が部分的に同一領域を示しても構わないし、それぞれの「領域定義データ」が完全に一致しても構わない。
また、「領域定義データ」が関数式で表され、その値が変化する際に、領域が重複から非重複、非重複から重複になっても構わない。
【００４６】
また、ＣＩＳテーブル１９１は「領域名」に「領域属性」を対応させてもよい。
「領域属性」とは、人口情報、歴史情報など、「領域名」と対応付けられるさまざまな領域情報である。
「領域属性」を定義することで、「領域名」または「領域定義データ」をキーにしてさまざまな領域情報を取得することができ、ユーザに対してそれら領域情報を提供することができる。
【００４７】
図６は、実施の形態１における実体情報テーブル１９２を示す図である。
図６において、実体情報テーブル１９２は「実体名」と「実体位置データ」と「実体属性データ」とを対応させ、各タクシー２１０に関するデータを定義している。
「実体位置データ」は、「緯度」、「経度」、「高さ」を示している。また、ＣＩＳテーブル１９１の領域定義データと同様、「高さ」を持たずに「緯度」と「経度」で２次元の位置を示してもよい。
「実体属性データ」は各タクシー２１０の属性として、「会社名」、「型」、「初乗り料金」、「加算料金」、「ステータス」、「ＩＰアドレス」を定義している。
【００４８】
図７は、実施の形態１における実体情報テーブル１９２を示す図である。
図７において、実体情報テーブル１９２は「実体名」と「実体位置データ」と「実体属性データ」とを対応させ、各自動販売機２２０に関するデータを定義している。
「実体位置データ」は、「緯度」、「経度」、「高さ」を示している。また、ＣＩＳテーブル１９１の領域定義データと同様、「高さ」を持たずに「緯度」と「経度」で２次元の位置を示してもよい。
「実体属性データ」は各自動販売機２２０の属性として、販売する商品の「商品名」、「種類」、「価格」、「残数」、「ステータス」、「ＩＰアドレス」を定義している。
【００４９】
図８は、実施の形態１における情報処理装置１００の処理の流れを示すフローチャートである。
実施の形態１における情報処理装置１００の処理の流れを図８に基づいて説明する。
【００５０】
入力部１１０は、実体であるタクシー２１０の位置データまたはユーザ端末２００のアクセス要求データを受信する（Ｓ１０１）。
入力部１１０は、受信したデータの種類を判定する（Ｓ１０２）。
【００５１】
データ種類を判定した結果、データ種類がタクシー２１０の位置データである場合、実体位置データ更新部１３０は、図６に示すようなタクシー２１０を実体とした実体情報テーブル１９２の実体位置データを入力部１１０の受信したタクシー２１０の位置データで更新する（Ｓ１０３）。
【００５２】
例えば、Ｔ１で識別されるタクシー２１０の位置データを受信した場合、実体情報テーブル１９２の実体名Ｔ１に対応する実体位置データを受信した位置データで更新する。
これにより随時、各実体の位置を管理することができる。
【００５３】
Ｓ１０２においてデータ種類を判定した結果、データ種類がユーザ端末２００のアクセス要求データである場合、領域データ取得部１１５は、アクセス要求データに含まれる領域名で、図５に示すようなＣＩＳテーブル１９１を検索し、領域名に対応する領域定義データを取得する（Ｓ１０４）。
実体データ検索部１２０は、領域データ取得部１１５が取得した領域定義データと実体情報テーブル１９２の実体位置データとを比較し、領域定義データの示す領域内に位置する実体を検索し、検索した実体の実体属性データを取得する（Ｓ１０５）。
ここで、検索した実体、つまり領域定義データの示す領域内に位置する実体について、全ての実体の実体属性データを取得してもよいし、幾つかの実体の実体属性を取得してもよい。例えば、領域定義データの示す領域内に位置する実体の数が所定の数と比較して大きい場合は、検索した順に所定の数だけの実体の実体属性を取得する、などの処理を行い、実体をふるいにかけてもよい。
出力部１２５は、入力部１１０が入力したユーザ端末２００のアクセス要求データと実体データ検索部１２０が取得した実体属性データとに基づいて結果データを生成する（Ｓ１０６）。
出力部１２５は、生成した結果データを送信する（Ｓ１０７）。
【００５４】
例えば、アクセス要求データがＣＩＳａ領域に位置するタクシーの空車情報の取得を示す要求内容とユーザ端末２００のＩＰアドレスとを含み、図６に示す実体情報テーブル１９２においてＣＩＳａ領域に位置するタクシー２１０がＴ１とＴ３である場合、出力部１２５の処理は以下のようになる。
出力部１２５は、実体データ検索部１２０の取得したＴ１とＴ３の会社名、型、初乗り料金、加算料金、位置データを含む結果データを生成し、アクセス要求データに含まれるＩＰアドレスを結果データの送信先とし、結果データをユーザ端末２００に送信する。
これにより、ユーザ端末２００が受信した結果データを表示装置に表示し、ユーザは表示された場所に移動してタクシー２１０に乗車することができる。
【００５５】
また、アクセス要求データがＣＩＳａ領域に位置するタクシーの呼び出しを示す要求内容とユーザ端末２００の位置データとを含み、図６に示す実体情報テーブル１９２においてＣＩＳａ領域に位置するタクシー２１０がＴ１とＴ３である場合の出力部１２５の処理は以下のようになる。
出力部１２５は、実体データ検索部１２０の取得したＴ１とＴ３の実体属性データのステータスを判定し、空車であると判定したＴ１のＩＰアドレスを送信先としてユーザ端末２００の位置データを含む結果データを生成しタクシーＴ１に送信する。
これにより、タクシーＴ１が受信した結果データを表示装置に表示し、タクシーＴ１が表示された場所に移動し、ユーザはタクシーＴ１に乗車することができる。
【００５６】
また、自動販売機２２０を実体とする場合も図７に示す実体情報テーブル１９２を参照し、タクシー２１０と同様に結果データを生成、送信することができる。
例えば、アクセス要求データがＣＩＳａ領域に位置する自動販売機でのアルコールの販売停止を示す要求内容を含み、図７に示す実体情報テーブル１９２においてＣＩＳａ領域に位置する自動販売機２２０がＶ１である場合の出力部１２５の処理は以下のようになる。
出力部１２５は、実体データ検索部１２０の検索したＶ１の実体属性データのステータスを「販売中」から「販売停止」に変更し、Ｖ１のＩＰアドレスを送信先としてステータスが変更されたことを示す結果データを生成し自動販売機Ｖ１に送信する。
これにより、自動販売機Ｖ１が受信した結果データに基づいてアルコール商品を販売停止にすることができる。
【００５７】
上記説明において、図６、図７に示す実体情報テーブル１９２では、タクシー２１０や自動販売機２２０といった実体にアクセスするための属性として「ＩＰアドレス」を定義した。ここで「ＩＰアドレス」はＩＰｖ４（ＩＰｖｅｒｓｉｏｎ４）でもよいし、ＩＰｖ６（ＩＰｖｅｒｓｉｏｎ６）でもよい。また、「ＩＰアドレス」以外のアクセスするための属性を定義してもよい。例えば、タクシー２１０に備えつけられた電話やタクシー２１０の運転手が所持する携帯電話の電話番号などでもよい。
【００５８】
上記説明では、ユーザ端末２００から受信したアクセス要求データに含まれる領域名に基づいて領域名の示す領域に位置する実体の実体属性データを取得する場合を説明した。
但し、ユーザ端末２００が測位したユーザ端末位置データをアクセス要求データに含み、ユーザ端末位置データに基づいてユーザ端末の位置する領域の領域定義データを取得し、ユーザ端末の位置する領域と同一領域に位置する実体の実体属性データを取得してもよい。
例えば、図１に示すようにＣＩＳａ領域に位置するユーザ端末２００からユーザ端末位置データを受信した場合、情報処理装置１００は、ユーザ端末位置データの示す位置の領域がＣＩＳａであると判定し、実体情報テーブル１９２を検索し、ＣＩＳａ領域に位置する実体の情報をユーザ端末２００に送信する。
【００５９】
実施の形態１では、情報処理装置１００が実体位置データ更新部１３０を備えることで、記憶部１９０に記憶する実体の実体位置データが、タクシー２１０のように移動する実体に対応した動的なデータであっても、自動販売機２２０のように位置が固定である実体に対応した静的なデータであっても構わないことを説明した。
移動する実体はタクシー２１０以外でも構わない。例えば、バスや電車などでもよいし、自動販売機２２０のように普段は位置が固定であるが設置場所の移転などにより移動するものでもよい。
また、位置が固定である実体は自動販売機２２０以外でも構わない。例えば、家や倉庫などでもよい。
【００６０】
また実施の形態１では、領域名を入力として領域名の示す領域に位置する実体の情報を提供しても、測位装置の位置データを入力として測位装置の位置する領域と同一領域に位置する実体の情報を提供しても構わないことを説明した。
【００６１】
実施の形態２．
以下、実施の形態２において上記実施の形態１と異なる部分を説明し、その他は上記実施の形態１と同様であるものとする。
【００６２】
図９は、実施の形態２における情報処理装置１００の構成図である。
実施の形態２における情報処理装置１００の構成について、上記実施の形態１の図４に示す情報処理装置１００の構成と異なる構成を図９に基づいて説明する。その他の構成は上記実施の形態１の説明と同様であるものとする。
【００６３】
記憶部１９０は、実体属性データを変更する変更処理内容を示す属性変更処理データを領域名に対応させた属性変更情報テーブル１９３を記憶する。
属性変更処理部１３５は、属性変更情報テーブル１９３の示す領域名について、ＣＩＳテーブル１９１を検索し、領域名の示す領域の領域定義データを取得する。さらに、取得した領域定義データに基づいて実体情報テーブル１９２の実体位置データを検索し、取得した領域定義データの示す領域内に位置する実体の実体属性データを検索結果に基づいて取得する。さらに、取得した実体属性データを属性変更情報テーブル１９３の属性変更処理データに基づいて変更する。
【００６４】
図１０は、実施の形態２における属性変更情報テーブル１９３を示す図である。
図１０において、属性変更情報テーブル１９３は領域名と属性変更処理データとを対応させる。
「領域名」は仮想情報空間テーブル１９１の「領域名」に対応する。
「属性変更処理データ」は、対応する領域に位置する実体の実体属性データを変更する変更処理内容を示する。
例えば、ある「時間（時刻）」において「実体」の種類、実体の持つ「属性」、属性の「内容」を示す実体属性データを「対象」として、対象の「属性」を「内容２」の値を使用し「内容１」の「処理」で変更する。
【００６５】
図１１は、実施の形態２における情報処理装置１００の処理の流れを示すフローチャートである。
実施の形態２における情報処理装置１００の処理の流れについて、上記実施の形態１の図８に示すフローチャートと異なる処理を図１１に基づいて説明する。その他の処理は上記実施の形態１の説明と同様であるものとする。
【００６６】
属性変更処理部１３５は、属性変更情報テーブル１９３の「時間」が示す時刻を検出し、時刻を検出した属性変更処理データに対応した領域名を取得する（Ｓ２０１）。
領域データ取得部１１５は、属性変更処理部１３５の取得した領域名でＣＩＳテーブル１９１を検索し領域定義データを取得する（Ｓ２０２）。
実体データ検索部１２０は、領域データ取得部１１５の取得した領域定義データで実体情報テーブル１９２を検索し、領域定義データの示す領域に位置する実体の実体属性データを取得する（Ｓ２０３）。
属性変更処理部１３５は、時刻を検出した属性変更処理データを属性変更情報テーブル１９３から取得し、属性変更処理データの「対象」と一致する実体属性データを実体データ検索部１２０の取得した実体属性データから検索する（Ｓ２０４）。
属性変更処理部１３５は、検索した実体属性データを属性変更処理データの「処理」の示す内容で変更する（Ｓ２０５）。
【００６７】
Ｓ２０６〜Ｓ２１０の処理はそれぞれ図８のＳ１０１、Ｓ１０４〜Ｓ１０７の処理と同様である。
【００６８】
例えば、記憶部１９０が図６、図７に示す実体情報テーブル１９２と図１０に示す属性変更情報テーブル１９３とを記憶し、ＣＩＳａ領域に位置する実体がＴ１、Ｔ３、Ｖ１である場合、属性変更処理部１３５の処理は以下のようになる。
【００６９】
属性変更処理部１３５は、実体情報テーブル１９２において、実体名Ｖ１の「種類」が「アルコール」である実体属性データの「ステータス」を２２時に「停止中」に変更し、１０時に「販売中」に変更する。
【００７０】
また、実体情報テーブル１９２において、実体名Ｔ１とＴ３のうち「会社名」が「Ａ社」であるＴ１の実体属性データの「加算料金」を２３時に１．３倍の料金に変更し、６時に元の料金（１．３分の１の料金）に変更する。
【００７１】
図１２は、ＣＩＳｂ領域がＣＩＳａ領域の一部である場合を示す。
図１３は、ＣＩＳａ領域の一部とＣＩＳｂ領域の一部が重複する場合を示す。
図１２や図１３に示すように、記憶部１９０に記憶されたＣＩＳテーブル１９１の示す領域が重複していても構わない。
以下のようにすることで、重複していても属性変更処理が行える。
【００７２】
重複する領域がある場合、重複する領域の属性変更処理データに基づいて属性変更する処理方法を示す属性変更処理方法データを記憶部１９０に記憶する。
例えば、各領域に対する属性変更処理データの優先度を属性変更処理方法データとして記憶してもよい。
この場合、属性変更処理部１３５は、重複する領域の属性変更処理方法データのうち、優先度の高い領域に対応した属性変更処理データに基づいて属性変更処理を行う。
【００７３】
実施の形態２では、情報処理装置１００は属性変更処理部１３５と属性変更情報テーブル１９３とを備えることにより、情報処理装置１００の記憶する実体属性データを時間により異なるような動的なデータにすることができることを説明した。
【００７４】
また実施の形態２では、情報処理装置１００の記憶する領域定義データの示す領域が互いに重複しても構わないことを説明した。
【００７５】
実施の形態３．
以下、実施の形態３において上記実施の形態１と異なる部分を説明し、その他は上記実施の形態１と同様であるものとする。
【００７６】
図１４は、実施の形態３における情報処理装置１００の構成図である。
実施の形態３における情報処理装置１００の構成について、上記実施の形態１の図４に示す情報処理装置１００の構成と異なる構成を図１４に基づいて説明する。その他の構成は上記実施の形態１の説明と同様であるものとする。
【００７７】
記憶部１９０は、記憶部１９０に記憶されたデータに対するアクセス権限を示すアクセス権限データと、アクセス権限を与える位置を示し且つＣＩＳテーブル１９１の管理する領域との相対位置を示す権限位置データとを対応させるアクセス権限テーブル１９４を記憶する。記憶部１９０に記憶されたデータとは、例えば仮想情報空間テーブル１９１や実体情報テーブル１９２である。
記憶データ管理部１４０は、入力部１１０が入力したユーザ端末２００やタクシー２１０などの測位装置の位置データに基づいて、測位装置の位置データが示す位置における権限位置データをアクセス権限テーブル１９４から取得する。さらに、取得した権限位置データに対応したアクセス権限データをアクセス権限テーブル１９４から取得し、取得したアクセス権限データと入力部１１０の入力したアクセス要求データとに基づいて記憶部１９０に記憶されたデータにアクセスする。
【００７８】
図１５は、実施の形態３におけるアクセス権限テーブル１９４を示す図である。
図１５において、アクセス権限テーブル１９４は、権限位置データとアクセス権限データとを対応させる。
権限位置データは、「領域名」と「相対位置」とを対応させる。
権限位置データの「領域名」は、ＣＩＳテーブル１９１の示す「領域名」と対応する。
権限位置データの「相対位置」は、「領域名」の示す領域の中（Ｉｎｓｉｄｅ）か外（Ｏｕｔｓｉｄｅ）か、「領域名」の示す領域に近づいている（Ａｐｐｒｏａｃｈｉｎｇ）か遠ざかっている（Ｄｅｐａｒｔｉｎｇ）かなどを示す。
アクセス権限データは、「参照」、「更新」、「追加」、「削除」についてのアクセス権限の有無を示す。
アクセス権限の「０」はアクセス権限が無いことを示し、「１」はアクセス権限があることを示し、「−１」は排他的にアクセス権限があることを示す。
「アクセス権限が無い」とはアクセス禁止のことであり、「アクセス権限がある」とはアクセス許可のことである。
「排他的にアクセス権限がある」とは、対象外の権限位置データを持つ場合にアクセス権限があることを示している。例えば、図１５は、ＣＩＳｃ領域のＯｕｔｓｉｄｅ以外、つまりＣＩＳｃ領域のＩｎｓｉｄｅに位置する場合に「参照」権限があることを示している。
【００７９】
図１６は、実施の形態３における情報処理装置１００の処理の流れを示すフローチャートである。
実施の形態３における情報処理装置１００の処理の流れを図１６に基づいて説明する。
【００８０】
入力部１１０は、ユーザ端末２００からアクセス要求データを受信する（Ｓ３０１）。
記憶データ管理部１４０は、入力部１１０が受信したアクセス要求データに含まれる領域名とユーザ端末位置データとに基づいてアクセス権限テーブル１９４を検索しアクセス権限データを取得する。アクセス権限テーブル１９４を検索しアクセス権限データを取得するには、以下のように処理をすればよい。まず、アクセス要求データに含まれる領域名でＣＩＳテーブル１９１を検索して領域定義データを取得する。次にアクセス要求データに含まれるユーザ端末位置データと取得した領域定義データとで相対位置を判定する。そしてアクセス要求データに含まれる領域名と判定した相対位置とでアクセス権限テーブル１９４を検索しアクセス権限データを取得する。「Ａｐｐｒｏａｃｈｉｎｇ」や「Ｄｅｐａｒｔｉｎｇ」については、ユーザ端末２００から異なる時間に取得したアクセス要求データに含まれるユーザ端末位置データを比較することで進行方向を判断でき相対位置として判定できる（Ｓ３０２）。
記憶データ管理部１４０は、取得したアクセス権限データを参照し、アクセス要求データで要求されるアクセスの権限の有無を判定する（Ｓ３０３）。
記憶データ管理部１４０がアクセス権限有りと判定した場合、情報処理装置１００はアクセス要求データで要求されたデータアクセスを行う。データアクセス処理は、上記実施の形態１の図８に示すフローチャートのＳ１０４〜Ｓ１０７の処理と同様である（Ｓ３０４）。
記憶データ管理部１４０がアクセス権限無しと判定した場合、情報処理装置１００はアクセス要求データで要求されたデータアクセスを行わない。
【００８１】
例えば、図１５に示すアクセス権限テーブル１９４を使用すると、ＣＩＳａ領域に位置するユーザ端末２００からのアクセス要求に対してＣＩＳテーブル１９１のＣＩＳａ領域のデータに参照、更新、追加、削除処理を行う。
また、ＣＩＳｂ領域から遠ざかるユーザ端末２００からのアクセス要求に対して参照、更新、追加、削除のいずれの処理も行わない。
【００８２】
上記説明では、図１５に示すようなアクセス権限テーブル１９４を使用し相対位置に対してアクセス権限を判定したが、相対位置以外の情報に基づくアクセス権限と合わせてアクセス権限を判定してもよい。
例えば、ユーザ情報としてユーザを識別するユーザＩＤ（ＩＤｅｎｔｉｆｉｃａｔｉｏｎ）とユーザに与えるアクセス権限とを対応させるテーブルを記憶する。ユーザ端末２００からはユーザＩＤを含むアクセス要求データを受信し、ユーザＩＤに対応するアクセス権限内でアクセス権限を与える。この場合、記憶データ管理部１４０は、ユーザＩＤに対応するアクセス権限とアクセス権限テーブル１９４から取得したアクセス権限とで同一であるアクセス権限を判定する。つまり、ユーザＩＤに対応するアクセス権限が「参照」と「追加」で、アクセス権限テーブル１９４から取得したアクセス権限が「参照」と「更新」であれば、ユーザのアクセス権限は「参照」だけとなる。
【００８３】
実施の形態３において、上記実施の形態２と同様に、ＣＩＳテーブル１９１の示す領域が図１２や図１３のように重複する関係にあっても構わない。重複する領域の権限位置データに対応したアクセス権限データに基づいてアクセス権限を検定する検定方法を示すアクセス権限決定方法データを上記実施の形態２で説明した属性変更処理方法データと同様に記憶部１９０に記憶すればよい。例えば、記憶データ管理部１４０は記憶部１９０に記憶されたアクセス権限決定方法データの示す領域の優先度を判定し、優先度の高い領域に対応するアクセス権限データによりアクセス権限の有無を判定することができる。
【００８４】
実施の形態３では、記憶データ管理部１４０とアクセス権限テーブルとを備えることにより、アクセス要求を行うユーザと各領域との相対位置をアクセス鍵としてアクセス権限を管理することができることを説明した。アクセス権限を管理する処理対象データはＣＩＳテーブル１９１や実体情報テーブル１９２のデータに限らず、また、実施の形態３で説明した情報処理装置１００と異なる構成であっても、相対位置をアクセス鍵としてアクセス権限を管理することができる。
【００８５】
実施の形態４．
以下、実施の形態４において上記実施の形態１と異なる部分を説明し、その他は上記実施の形態１と同様であるものとする。
【００８６】
図１７は、実施の形態４における情報処理装置１００の構成図である。
図１７において情報処理装置１００は、入力部１１０と領域データ取得部１１５と実体データ検索部１２０と出力部１２５と記憶部１９０とを備える。また、記憶部１９０はＣＩＳテーブル１９１と実体情報テーブル１９２とを記憶する。実施の形態４における情報処理装置１００の備える各構成は、上記実施の形態１の図４に示す情報処理装置１００の備える各構成と同様である。
【００８７】
図１８は、実施の形態４におけるＣＩＳテーブル１９１を示す図である。
図１８においてＣＩＳテーブル１９１は「領域名」と「領域定義データ」と「時間データ」とを対応させ、各「領域名」で示される領域は「時間データ」で示される時間毎に異なる「領域定義データ」を持つ。つまり、ＣＩＳテーブル１９１は「領域名」に対応する「領域定義データ」の変更条件を「時間」で示し、領域は時間帯により異なる大きさ、形になる。
また、「領域定義データ」は上記実施の形態１と同様に関数式で表してもよく、関数式は可変であってもよい。ここで、「時間データ」も「領域定義データ」と同様に関数式で表してもよく、関数式は可変であってもよい。
【００８８】
図１９は、実施の形態４における情報処理装置１００の処理の流れを示すフローチャートである。
図１９において、入力部１１０はユーザ端末２００からアクセス要求データを受信し（Ｓ４０１）、アクセス要求データを受信した時刻を示す時刻データを取得する（Ｓ４０２）。
領域データ取得部１１５は、入力部１１０の受信したアクセス要求データに含まれる領域名と、入力部１１０の取得した時刻データとに基づいてＣＩＳテーブル１９１から領域定義データを取得する（Ｓ４０３）。
以下のＳ４０４〜Ｓ４０６の処理は、上記実施の形態１の図８に示すフローチャートのＳ１０５〜Ｓ１０７の処理と同様である。
【００８９】
また、情報処理装置１００は、図２０に示すようなＣＩＳテーブル１９１を備え、図２１に示すような処理を行ってもよい。
【００９０】
図２０は、実施の形態４におけるＣＩＳテーブル１９１を示す図である。
図２０においてＣＩＳテーブル１９１は「領域名」と「領域定義データ」と「センサ値」とを対応させ、各「領域名」で示される領域は「センサ値」毎に異なる「領域定義データ」を持つ。「領域定義データ」は「緯度」、「経度」で示されるセンサの位置を中心として、「半径」で示される半径を持つ円状の領域を示している。つまり、ＣＩＳテーブル１９１は「領域名」に対応する「領域定義データ」の変更条件を「センサ値」で示し、領域はセンサの計測したセンサ値により異なる大きさになる。また、「領域名」はセンサの識別名を示している。
センサには雨量センサ、地震センサ、気圧センサ、風速センサなどがあり、雨、地震、天気、気圧、風などについて計測する。また、センサはその他のセンサでも構わない。
また、「領域定義データ」は上記実施の形態１と同様に関数式で表してもよく、関数式は可変であってもよい。ここで、「領域定義データ」を特定する「センサ値」項目はセンサが計測した計測値をパラメータとする関数式で表してもよい。
【００９１】
図２１は、実施の形態４のおける情報処理装置１００の処理の流れを示すフローチャートである。
入力部１１０はセンサと通信し計測されたセンサ値をセンサから受信し（Ｓ５０１）、領域データ取得部１１５は入力部１１０の受信したセンサ値の送信元センサの識別名を領域名として、センサ値に対応する領域定義データをＣＩＳテーブル１９１から取得する（Ｓ５０２）。
以下のＳ５０３〜Ｓ５０５の処理は、上記実施の形態１の図８に示すフローチャートのＳ１０５〜Ｓ１０７の処理と同様である。
【００９２】
例えば、異常な値を計測したセンサがセンサ値を情報処理装置１００の入力部１１０に送信する。情報処理装置１００はセンサ値に対応する領域定義データの示す領域に位置する表示装置や音声出力装置などの実体を送信先とする結果データを送信する。そして、表示装置や音声出力装置などの実体は受信した結果データに基づいて警報を出力することができる。
【００９３】
また、情報処理装置１００は、あるセンサに対応する領域に位置するユーザ端末２００の情報の取得を要求するアクセス要求データを受信し、センサ値に対応する領域に位置するユーザ端末２００の情報を結果データとして送信する。そして、結果データを受信した受信装置は、送信された結果データを参照し危険領域にいるユーザを把握することができる。
【００９４】
実施の形態４では、情報処理装置１００の記憶する領域定義データの示す領域は、時間やセンサ値などの条件により異なる動的な領域でも構わないことを示した。
【００９５】
実施の形態５．
以下、実施の形態５において上記実施の形態１と異なる部分を説明し、その他は上記実施の形態１と同様であるものとする。
【００９６】
図２２は、実施の形態５における情報処理システムの構成図である。
電車２３０は、ＧＰＳ衛星３００の送信する測位用データに基づいて自己位置を測位する測位装置であり、電車２３０自体が情報処理装置１００に管理される領域の一つである。
電車２３０の乗客はユーザ端末２００を所持している。
【００９７】
図２３は、実施の形態５における情報処理装置１００の構成図である。
実施の形態５における情報処理装置１００の構成について、上記実施の形態１の図４に示す情報処理装置１００の構成と異なる構成を図２３に基づいて説明する。その他の構成は上記実施の形態１の説明と同様であるものとする。
【００９８】
入力部１１０は、電車２３０のように移動して移動先の自己領域を取得する測位装置と通信し測位装置から測位装置の領域を示す領域名と領域定義データとを受信する。
領域データ更新部１４５は、入力部１１０が入力した領域定義データで、ＣＩＳテーブル１９１に示される対応する領域定義データを更新する。
【００９９】
図２４は、実施の形態５における情報処理装置１００の処理の流れを示すフローチャートである。
【０１００】
図２４において、Ｓ６０１とＳ６０２との処理は、上記実施の形態１の図８に示すフローチャートのＳ１０１とＳ１０２との処理と同様である。
【０１０１】
Ｓ６０２において入力部１１０がデータ種類を判定した結果、データ種類が領域定義データであり、例えば電車２３０の領域を示す領域定義データである場合、領域データ更新部１４５は、ＣＩＳテーブル１９１において、入力部１１０の受信した電車２３０の領域を示す領域名と対応する領域定義データを、入力部１１０の受信した領域定義データで更新する（Ｓ６０３）。
【０１０２】
以下のＳ６０４〜Ｓ６０７の処理は、上記実施の形態１の図８に示すフローチャートのＳ１０４〜Ｓ１０７の処理と同様である。
【０１０３】
例えば、情報処理装置１００は、電車２３０の乗客情報の取得を要求するアクセス要求データを受信し、電車２３０を示す領域に位置するユーザ端末２００の情報を結果データとして送信する。そして、結果データを受信した受信装置では送信された結果データを参照しユーザ端末２００を所有する電車２３０の乗客を把握することができる。
【０１０４】
実施の形態５では、情報処理装置１００が領域データ更新部１４５を備えることで、記憶部１９０に記憶する領域定義データが、電車２３０のように移動する領域に対応した動的なデータであっても構わないことを説明した。
【０１０５】
上記の各実施の形態で説明した情報処理装置１００について、各構成を組み合わせても構わないし、各処理を組み合わせても構わない。
【０１０６】
また、上記の各実施の形態では、領域の領域定義データを緯度、経度および高さ又は関数式で定義することについて説明したが、他の領域との相対関係で定義しても構わない。
【０１０７】
図２５〜図２８は、他の領域との相対関係を示す図である。
ここで、他の領域との相対関係を論理演算で表すとする。論理積を「ａｎｄ」、論理和を「ｏｒ」、否定を「ｎｏｔ」、排他的論理和を「ｘｏｒ」とすると各図で示すＣＩＳａ領域の領域定義データは次のように表すことができる。
図２５の場合、「ＣＩＳｂ  ａｎｄ  （ｎｏｔ  ＣＩＳｃ）」。
図２６の場合、「ＣＩＳｂ  ｘｏｒ  ＣＩＳｃ」。
図２７の場合、「ＣＩＳｂ  ｏｒ  ＣＩＳｃ」。
図２８の場合、「ＣＩＳｂ  ａｎｄ  （ＣＩＳｃ  ｘｏｒ  ＣＩＳｄ）」。
この場合、領域データ取得部１１５は、上記のような論理演算式を計算し、領域定義データを算出する。
但し、相対関係は、図２５〜図２８に示す関係に限らない。
【０１０８】
また、上記の各実施の形態の情報処理装置１００の構成図では、ＣＩＳテーブル１９１、実体情報テーブル１９２、属性変更情報テーブル１９３、アクセス権限テーブル１９４を同一の記憶部１９０に記憶する例を示したが、それぞれ別の記憶部に記憶しても構わない。
【０１０９】
上記の各実施の形態で説明した情報処理装置１００を用いることにより、以下のようなことが行える。
【０１１０】
例えば、飲食店、屋台などの連続して並ぶＣＩＳの領域があり、ユーザの位置から判断して当該店のメニューだけを示すようなことができる。
【０１１１】
また、移動するいつもの屋台がどこにいようとも、その屋台のＣＩＳの領域名称を知ってさえいれば、情報発信者としての屋台の情報（今どこにいるか、本日のメニューなど）をその場で知ることができる。
【０１１２】
また、自動販売機を設置し、その設置場所をＣＩＳの領域とすることにより、オーナは各販売機の売上を直接確認でき、またメニューや価格を遠隔から操作できる。
【０１１３】
また、自動販売機を複数含む大きな領域を設定し、その領域に含む自動販売機に、共通したメニュー、価格等を設定できる。
【０１１４】
また、スーパーで食料品を購入する際に、食料品コーナーごとに設定するＣＩＳの領域により、各食料の生産者情報や、発送からスーパーに並ぶまでの情報をいながらにして確認できる。
【０１１５】
また、スーパーにいることが鍵となり、各食料品コーナーにいることが更なる鍵となり、そのＣＩＳ情報を取得できる。
【０１１６】
また、主婦はそのスーパーとの契約により当該食料品コーナー名を指定して、食料の入荷状況、本日の価格などの外部公開情報のみを家にいながら取得できる。
【０１１７】
また、ある人気商品の最も在庫数の多い商店街はどこかを調べたり、特定の学区内の各家庭に共通の通知を配信したりすることが出来る。
【０１１８】
また、特定のＣＩＳの領域内にいる移動体に関係する情報、例えばその台数、タクシーであれば売上高の総額や平均時速、携帯端末であればそのＣＩＳの領域での滞在時間やその所有者の平均通話時間、平均年齢などを、そのＣＩＳの領域名を指定することでアクセスすることができる。
【０１１９】
また、特定の地域にある自動販売機などの製品価格やサービスメニューを時間帯や季節でリモートに変更したり、そのエリアの人口密度や客層、イベント内容などに応じてエアコンの温度調節や照明を変えたりすることが出来る。
【０１２０】
また、ＣＩＳの領域で発生したイベント数、例えば出会いの成立したカップル数、交通事故の件数、商談の成立数、人の移動エネルギー総量なども領域名でアクセスできる。
【０１２１】
以上の説明において、位置情報（緯度、経度、高度など）によって定義される実世界上の任意の形状の３次元空間を仮想的な情報空間（ＣＩＳ）として名前などの属性を与えて登録するＣＩＳテーブル１９１と、実世界上の任意の情報を保持しそれと特定のＣＩＳとの関係を保持する実体情報テーブル１９２や属性変更情報テーブル１９３を持つ情報処理装置１００が存在し、情報の検索、更新、追加などを行うユーザ端末２００がこの情報処理装置１００に、特定のＣＩＳの領域名称等を指定することで当該ＣＩＳに関連する情報のアクセスを可能とする情報処理システムについて説明した。
【０１２２】
また、ユーザはＧＰＳ機能などによる緯度、経度、高度などによる位置情報を取得可能な機能を持つユーザ端末２００を保持し、情報処理装置１００に対して、位置情報をアクセス鍵として情報へのアクセス要求を可能とする情報処理システムについて説明した。
【０１２３】
また、位置情報をアクセス鍵とする場合に、位置情報とアクセスの対象となるＣＩＳの領域との位置的な関係、Ｉｎｓｉｄｅ、Ｏｕｔｓｉｄｅ、Ａｐｐｒｏａｃｈｉｎｇ、Ｄｅｐａｒｔｉｎｇなどによりアクセス鍵の意味、参照権、更新権、追加権、排他権などを変更可能な情報処理システムについて説明した。
【０１２４】
また、ＣＩＳの領域はその形状を維持しつつ、時間と共に移動することが可能な情報処理システムについて説明した。
【０１２５】
また、ＣＩＳの領域が時間と共にその形状や権利を予め定められた規則に従い変化させることのできる情報処理システムについて説明した。
【０１２６】
また、ＣＩＳの領域内の情報源からのデータ値（センサ値）の変化伴ってその形状、位置を他律的に変化させることのできる情報処理システムについて説明した。
【０１２７】
また、ＣＩＳの領域は単独でもその機能・目的を果たすが、任意の位置関係にある複数のＣＩＳが組み合わせられた状態でも同様な機能・目的を果たす情報処理システムについて説明した。
【０１２８】
また、実世界上の任意の空間を仮想的な情報空間とすることや、この空間に情報を直接関連付けることや、この空間を他の仮想空間や実空間（ＤＢ（データベース）などを含む）との情報授受の鍵として使うことや、ＣＩＳの領域は時間と共に移動、変形が可能であることや、ＣＩＳの領域は時間軸上の各点に存在可能であることを説明した。
【図面の簡単な説明】
【０１２９】
【図１】実施の形態１における情報処理システムの構成図。
【図２】実施の形態１における情報処理装置１００の外観を示す図。
【図３】実施の形態１における情報処理装置１００のハードウェア構成図。
【図４】実施の形態１における情報処理装置１００の構成図。
【図５】実施の形態１におけるＣＩＳテーブル１９１を示す図。
【図６】実施の形態１における実体情報テーブル１９２を示す図。
【図７】実施の形態１における実体情報テーブル１９２を示す図。
【図８】実施の形態１における情報処理装置１００の処理の流れを示すフローチャート。
【図９】実施の形態２における情報処理装置１００の構成図。
【図１０】実施の形態２における属性変更情報テーブル１９３を示す図。
【図１１】実施の形態２における情報処理装置１００の処理の流れを示すフローチャート。
【図１２】実施の形態２における領域の重複を示す図。
【図１３】実施の形態２における領域の重複を示す図。
【図１４】実施の形態３における情報処理装置１００の構成図。
【図１５】実施の形態３におけるアクセス権限テーブル１９４を示す図。
【図１６】実施の形態３における情報処理装置１００の処理の流れを示すフローチャート。
【図１７】実施の形態４における情報処理装置１００の構成図。
【図１８】実施の形態４におけるＣＩＳテーブル１９１を示す図。
【図１９】実施の形態４における情報処理装置１００の処理の流れを示すフローチャート。
【図２０】実施の形態４におけるＣＩＳテーブル１９１を示す図。
【図２１】実施の形態４のおける情報処理装置１００の処理の流れを示すフローチャート。
【図２２】実施の形態５における情報処理システムの構成図。
【図２３】実施の形態５における情報処理装置１００の構成図。
【図２４】実施の形態５における情報処理装置１００の処理の流れを示すフローチャート。
【図２５】実施の形態における領域の相対関係を示す図。
【図２６】実施の形態における領域の相対関係を示す図。
【図２７】実施の形態における領域の相対関係を示す図。
【図２８】実施の形態における領域の相対関係を示す図。
【符号の説明】
【０１３０】
１００  情報処理装置、１１０  入力部、１１５  領域データ取得部、１２０  実体データ検索部、１２５  出力部、１３０  実体位置データ更新部、１３５  属性変更処理部、１４０  記憶データ管理部、１４５  領域データ更新部、１９０  記憶部、１９１  仮想情報空間テーブル、１９２  実体情報テーブル、１９３  属性変更情報テーブル、１９４  アクセス権限テーブル、２００  ユーザ端末、２１０  タクシー、２２０  自動販売機、２３０  電車、３００  ＧＰＳ衛星、９０１  表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  インターネット、９４１  ウェブサーバ、９４２  ＬＡＮ。
【図１】
2006072922.tif 000003
【図２】
2006072922.tif 000004
【図３】
2006072922.tif 000005
【図４】
2006072922.tif 000006
【図５】
2006072922.tif 000007
【図６】
2006072922.tif 000008
【図７】
2006072922.tif 000009
【図８】
2006072922.tif 000010
【図９】
2006072922.tif 000011
【図１０】
2006072922.tif 000012
【図１１】
2006072922.tif 000013
【図１２】
2006072922.tif 000014
【図１３】
2006072922.tif 000015
【図１４】
2006072922.tif 000016
【図１５】
2006072922.tif 000017
【図１６】
2006072922.tif 000018
【図１７】
2006072922.tif 000019
【図１８】
2006072922.tif 000020
【図１９】
2006072922.tif 000021
【図２０】
2006072922.tif 000022
【図２１】
2006072922.tif 000023
【図２２】
2006072922.tif 000024
【図２３】
2006072922.tif 000025
【図２４】
2006072922.tif 000026
【図２５】
2006072922.tif 000027
【図２６】
2006072922.tif 000028
【図２７】
2006072922.tif 000029
【図２８】
2006072922.tif 000030